(57)【特許請求の範囲】
【請求項１】
パトローネを装填するためのパトローネ室と、パトローネから引き出された未露光の写真フイルムを収納しておくフイルムロール室とを備え、前記パトローネ室の上部に設けられた巻き上げノブの回転操作により撮影済みの写真フイルムをパトローネに巻き込むようにしたレンズ付きフイルムユニットにおいて、
前記パトローネ室の上壁と前記巻き上げノブの底面とに、互いに嵌合しあう一対の軸部を設けるとともに、これらの嵌合面の一方に軸方向に延びた複数のリブを形成したことを特徴とするレンズ付きフイルムユニット。
【請求項２】
パトローネを装填するためのパトローネ室と、パトローネから引き出された未露光の写真フイルムを収納しておくフイルムロール室とを備え、前記パトローネ室の上部に設けられた巻き上げノブの回転操作により撮影済みの写真フイルムをパトローネに巻き込むようにしたレンズ付きフイルムユニットにおいて、
前記巻き上げノブの周面と上面とからなる角部を面取りするとともに、周面から前記面取り面にかけてローレット目を形成したことを特徴とするレンズ付きフイルムユニット。
【請求項３】
前記巻き上げノブの周面と上面とからなる角部を面取りするとともに、周面から前記面取り面にかけてローレット目を形成したことを特徴とする請求項１記載のレンズ付きフイルムユニット。
【発明の詳細な説明】
【０００１】
【産業上の利用分野】
本発明は、巻き上げノブの回転操作によって写真フイルムをパトローネ内に巻き込むレンズ付きフイルムユニットに関するものである。
【０００２】
【従来の技術】
いつでも手軽に写真撮影を楽しむことができるように、簡単な撮影機構を備えたユニット本体にパトローネ付きの写真フイルムを予め内蔵させたレンズ付きフイルムユニットが本出願人により製造販売されている。このレンズ付きフイルムユニットは、購入したその場ですぐに写真撮影ができ、また撮影後にもそのまま現像取り扱い店に出せばよいという簡便性から、一般に広く利用されている。このレンズ付きフイルムユニットにおいては、その携帯性を向上するために小型化が種々試みられている。
【０００３】
このようなレンズ付きフイルムユニットでは、低価格化を実現するために構造が非常に簡略化されており、写真フイルムの巻き上げは、撮影者が巻き上げノブを回動操作することで行うようになっている。巻き上げノブは、その底面に突出した駆動軸が設けられており、パトローネを装填するためのパトローネ室の上部に配置されている。パトローネ室の上壁には、駆動軸をパトローネ室内に突出させるための開口が形成されており、この開口を介して駆動軸とパトローネに組み込まれたスプールとを同軸に係合させてある。そして、巻き上げノブを回動操作すると連動してスプールが回転し、写真フイルムがパトローネ内に巻き取られるしくみになっている。
【０００４】
また、パトローネ室の上壁と巻き上げノブの底面とには、それぞれ壁状に突出した回転対称な軸部が設けられ、一方の軸部に他方を被せるようにして巻き上げノブが位置決め保持されている。これにより、巻き上げノブは安定した回転を行うことができる。
【０００５】
【発明が解決しようとする課題】
しかしながら、上記のように壁状の軸部を嵌合させると、一方の外周面と他方の内周面とが互いに全面で当接するため、巻き上げノブの摺動負荷が大きくなってしまう。このため、巻き上げノブを回転させるために、必要以上に大きな力を要していた。
【０００６】
また、前述したようにレンズ付きフイルムユニットの小型化を図ろうとすると、これにともなって巻き上げノブも小さくする必要がある。ところが、巻き上げノブが小さくなると、巻き上げノブの回転操作が困難になるばかりか、この巻き上げノブを回転させるために更に大きな力を要するようになってしまう。
【０００７】
本発明は、このような問題点を解決するためになされたものであり、巻き上げノブの回転操作を容易に行うことができるレンズ付きフイルムユニットを提供することを目的とする。
【０００８】
【課題を解決するための手段】
上記目的を達成するために、本発明のレンズ付きフイルムユニットは、パトローネ室の上壁と巻き上げノブの底面とに、互いに嵌合しあう一対の軸部を設けるとともに、これらの嵌合面の一方に軸方向に延びた複数のリブを形成するものである。なお、前記巻き上げノブの周面と上面とからなる角部を面取りするとともに、周面から前記面取り面にかけてローレット目を形成することが好ましい。
【０００９】
また請求項２に記載のレンズ付きフイルムユニットは、巻き上げノブの周面と上面とからなる角部を面取りするとともに、周面から面取り面にかけてローレット目を形成するものである。
【００１０】
【実施例】
図４は、レンズ付きフイルムユニットの外観を示すものである。ユニット本体１１は主にプラスチック成形され、全体を外装体１２によって覆われている。外装体１２は、レンズ付きフイルムユニット１０の外観を綺麗にするためのものであり、表面に印刷が施された紙箱等が用いられる。外装体１２の所要部には、撮影レンズ１３，ファインダー対物窓１４，巻き上げノブ１５，シャッターボタン１６，及びカウンタ窓１７等を外部に露呈させるための開口が設けられており、この外装体１２をユニット本体１１に被せたままの状態で撮影操作が行えるようになっている。
【００１１】
図５に分解して示したように、ユニット本体１１は、本体基部２１と、その上面，前面，及び左右側面を覆うように被せられる前カバー２２と、本体基部２１の背面に被せられる後カバー２３とから構成されている。前カバー２２にはファインダー対物窓１４，シャッターボタン１６，及びカウンタ窓１７が、また後カバー２３にはファインダー接眼窓２４がそれぞれ一体に形成されている。本体基部２１の前面には、撮影レンズ１３やシャッター機構が組み付けられた露光ユニット２５が取り付けられ、前カバー２２と後カバー２３とで挟持される。また、本体基部２１には写真フイルムパトローネ３０が収納される。
【００１２】
写真フイルムパトローネ３０は、写真フイルム３１と、この写真フイルム３１を光密に収納するパトローネ３２とから構成されている。パトローネ３２は、回動自在なスプール３３を備え、このスプール３３に写真フイルム３１の末端が固定されている。スプール３３の端部には、後述するフイルム巻き上げ用の駆動軸を係合させるための軸孔３４が形成されている。そして、駆動軸の回転に連動してスプール３３が回転すると、写真フイルム３１がスプール３３の外周に巻き取られる。
【００１３】
本体基部２１には、パトローネ３２を収納するパトローネ室３５と、パトローネ３２から引き出された未露光の写真フイルム３１を収納するフイルムロール室３６とが一体に形成されている。パトローネ室３５とフイルムロール室３６との底は開口となっており、後カバー２３に設けたプルトップ式の底蓋３７，３８によってそれぞれ塞がれる。また、パトローネ室３５の上部には巻き上げノブ１５が回動自在に配置され、外部操作可能なように後カバー２３の開口３９から一部が露呈している。
【００１４】
図１の（ａ）に示したように、巻き上げノブ１５は、その周面１５ａと上面１５ｂとの角部が面取りされており、周面１５ａから面取り面１５ｃにかけて周方向にローレット目４１が形成されている。また、巻き上げノブ１５の底面１５ｄの中心部には、突出した駆動軸４２が一体に設けられ、その外周部に駆動軸４２と同心円状に突出したガイド壁４３が形成されている。
【００１５】
図１の（ｂ）及び図２に示したように、パトローネ室３５の上壁には、駆動軸４２の外径よりも僅かに大きな開口４４が設けられ、この外周部には開口４４と同心円状に突出した軸壁４５が形成されている。この軸壁４５は、軸部４６の外周に軸方向に延びた複数のリブ４７を形成した構成となっており、リブ４７の形成位置における外径がガイド壁４３の内径とほぼ等しくなるように形成されている。
【００１６】
巻き上げノブ１５をパトローネ室３５の上部に配置すると、駆動軸４２がパトローネ室３５の上壁に形成された開口４４を介してパトローネ室３５内に突出した状態となる。また、軸壁４５の外側にガイド壁４３が嵌着し、巻き上げノブ１５は、パトローネ室３５の上壁から軸壁４５の突出分だけ浮いた位置で位置決めされる。そして、パトローネ室３５にパトローネ３２を装填すると、スプール３３の軸孔３４に駆動軸４２が係合する。また、巻き上げノブ１５は、軸壁４５の外周面とガイド壁４３の内周面とを摺接させながら回転する。
【００１７】
図５において、巻き上げノブ１５の近傍には、巻き上げノブ１５の周面１５ａに形成されたローレット目４１と係合する弾性自在な逆止爪４９が設けられている。この逆止爪４９は、巻き上げノブ１５をフイルム巻き上げ方向に回転操作する際には弾性変形してその回転を許容する。また、巻き上げノブ１５を逆転操作する際には、ローレット目４１の何れかの歯溝に入り込んでその回転を阻止し、写真フイルム３１の露光済み部分がパトローネ３２から引き出されてしまうことを防止する。
【００１８】
上記のように構成されたレンズ付きフイルムユニット１０を用いて撮影を行うときには、撮影者は、まず巻き上げノブ１５をフイルム巻き上げ方向（図４に示した矢印方向）に回転操作してシャッターチャージを行い、撮影準備をする。この巻き上げノブ１５の回転操作は、回転が禁止されるまで行う。この際、巻き上げノブ１５の周面１５ａから面取り面１５ｃにかけてローレット目４１が形成されているので、巻き上げノブ１５への指掛かりが良好に行われ、巻き上げノブ１５の回転操作を容易に行うことができる。
【００１９】
また図３に示したように、パトローネ室３５の上壁に形成された軸壁４５と巻き上げノブ１５の底面１５ｄに形成されたガイド壁４３とは、リブ４７の頂点部でのみ当接しているので、軸壁４５とガイド壁４３との間に生じる摺動負荷が小さくなる。これにより、撮影者は、小さな力で巻き上げノブ１５を回転させることができる。
【００２０】
次に、被写体を適当な位置にフレーミングしてシャッターボタン１６を押下すると、シャッター機構が作動して撮影レンズ１３を透過した被写体光が写真フイルム３１上に露光される。また、このシャッター機構の作動に連動して巻き上げノブ１５の回転が可能となり、次回の巻き上げ操作が許容される。
【００２１】
１回の撮影が終了したら、巻き上げノブ１５を回転操作して露光済みの写真フイルム３１をパトローネ３２内に巻き取る。この際においても、撮影者は、回転操作を容易に行うことができるとともに、巻き上げノブ１５を小さな力で回転させることができる。そして、写真フイルム３１が１コマ分だけ移送されると、巻き上げノブ１５のフイルム巻き上げ方向への回転操作が禁止され、次の撮影準備が完了したことを知らせる。
【００２２】
この後は、撮影操作とフイルム巻き上げ操作とを繰り返し行う。写真フイルム３１の最終コマに撮影を行った後に巻き上げノブ１５を回転操作すると、写真フイルム３１の全てがパトローネ３２の内部に収納される。そして、この使用済みのレンズ付きフイルムユニット１０を現像取扱店に持ってゆき、ＤＰＥを依頼すれば、従来どおりの処理で現像及び焼付けが行われ、ユーザーにはプリント写真と現像済み写真フイルムとが返却される。
【００２３】
【発明の効果】
以上のように、本発明のレンズ付きフイルムユニットによれば、巻き上げノブの周面と上面との角部が面取りされているとともに、周面から面取り面にかけてローレット目が形成されているので、巻き上げノブへの指掛かりが良好に行われ、巻き上げノブの回転操作を容易に行うことができる。
【００２４】
また、パトローネ室の上壁と巻き上げノブの底面とに一対の軸部が設けられ、これらの嵌合面の一方に軸方向に延びた複数のリブが形成されているので、これら一対の軸部は互いにリブの頂点部でのみ当接するようになる。これにより、巻き上げノブの摺動面に生じる抵抗を軽減することが可能となり、小さな力でも巻き上げノブを回転させることができるようになる。
【図面の簡単な説明】
【図１】本発明のユニット本体の要部説明図であり、（ａ）は巻き上げノブの形状を、（ｂ）はパトローネ室の上壁の形状を示している。
【図２】図１に示した軸壁の形状を示す概略図である。
【図３】軸壁とガイド壁との嵌合状態を示す説明図である。
【図４】本発明のレンズ付きフイルムユニットの外観図である。
【図５】図４に示したユニット本体の分解斜視図である。
【符号の説明】
１０  レンズ付きフイルムユニット
１１  ユニット本体
１５  巻き上げノブ
１５ａ  周面
１５ｂ  上面
１５ｃ  面取り面
３１  写真フイルム
３２  パトローネ
３５  パトローネ室
３６  フイルムロール室
４１  ローレット目
４２  駆動軸
４３  ガイド壁
４５  軸壁
４６  軸部
４７  リブ
【図１】
0003588491.tif 000002
【図２】
0003588491.tif 000003
【図３】
0003588491.tif 000004
【図４】
0003588491.tif 000005
【図５】
0003588491.tif 000006